(57)【特許請求の範囲】
【請求項１】
フロアパネルの開口部に取り付けられる蓋構造であって、
その側辺部にコの字状の開口凹部が形成された平板部と、
前記開口凹部の互いに対向する側辺部から互いに接近するように突出し前記側辺部に平行に形成された係合突部と、
前記開口凹部の互いに対向する側辺部の開口端部に形成された嵌合凹部と、
前記平板部の下面に設けられた立設部と
を有する第１蓋部材と、
厚さ上半部が厚さ下半部よりも幅広に形成された板部と、
前記板部の下面の側辺部に設けられ、前記板部の厚さ上半部と共に前記第１蓋部材の係合突部を挟むようにこれと嵌合する補強部と、
前記板部の前記補強部が設けられた側辺部とは反対側の側辺部に設けられ前記第１蓋部材の嵌合凹部と嵌合する嵌合凸部と
を有する第２蓋部材とを備えたことを特徴とする蓋構造。
【請求項２】
前記平板部の周縁部に前記立設部の上端面から外側に張り出したフランジ部が形成されたことを特徴とする請求項１に記載の蓋構造。
【請求項３】
前記板部の上面の開口凹部への挿し込み先端側に円弧状の凹部が形成されたことを特徴とする請求項１又は２に記載の蓋構造。
【請求項４】
開口部を有するフロアパネルであって、
その側辺部にコの字状の開口凹部が形成された平板部と、
前記開口凹部の互いに対向する側辺部から互いに接近するように突出し前記側辺部に平行に形成された係合突部と、
前記開口凹部の互いに対向する側辺部の開口端部に形成された嵌合凹部と、
前記平板部の下面に設けられた立設部と
を有する第１蓋部材と、
厚さ上半部が厚さ下半部よりも幅広に形成された板部と、
前記板部の下面の側辺部に設けられ、前記板部の厚さ上半部と共に前記第１蓋部材の係合突部を挟むようにこれと嵌合する補強部と、
前記板部の前記補強部が設けられた側辺部とは反対側の側辺部に設けられ前記第１蓋部材の嵌合凹部と嵌合する嵌合凸部と
を有する第２蓋部材とを備えた蓋構造を
前記開口部に取付けたことを特徴とするフロアパネル。
【請求項５】
前記第１蓋部材の前記開口凹部は、前記平板部の４つの側辺部の内の、前記フロアパネルの中央部側に位置する１つの側辺部に形成されたことを特徴とする請求項４に記載のフロアパネル。
【発明の詳細な説明】
【技術分野】
【０００１】
本発明は、フロアパネルに形成された開口部に蓋部材を取り付けてフリーアクセスフロア構造に用いられる、蓋構造及びこれを用いたフロアパネルに関するものである。
【背景技術】
【０００２】
フロアパネルは、フリーアクセスフロア構造に用いられるものであり、建築構造物の一部を構成するコンクリート材等により形成された基礎床面の上方に空間を隔てて設けられるものである。
【０００３】
図１２から図１４は、従来のフロアパネル４及びこれに用いた蓋部材６の構造を説明するために参照する図である。
【０００４】
図１２に示すように、従来のフロアパネル４は、図中下側の側辺部に略矩形状に入り込むよう切り欠かれた開口部４ａが形成されており、この開口部４ａを用いて、床下から床上に配線等を引き出すことができるようになっていた。
【０００５】
そして、図１３に示すように、フロアパネル４の開口部４ａを構成する略コの字状の３つの側辺部には、フロアパネル４の上面４ｄから下方に折り曲げられてその断面がテーパ状のテーパ部４ｂと、そのテーパ部４ｂの下端部から水平外側に突出するようフランジ状に折り曲げられたフランジ部４ｃが形成されていた。
【０００６】
このフランジ部４ｃの上面には、フロアパネル４の上面４ｄより高さが一段下がった位置に水平の段差面４ｅが形成されていた。
【０００７】
このような従来のフロアパネル４は、その開口部４ａが開口した状態のままフリーアクセスフロア構造に用いると、この開口部４ａから床下にゴミ等が落下して溜まるだけでなく、ハイヒール靴のかかとのヒールが落ち込んだり、靴のつま先が引っ掛かったりして危険であった。
【０００８】
このため、従来のフロアパネル４においては、図１３に示すような、その開口部４ａのフランジ部４ｃの上面の段差面４ｅ上に、図１４に示すように、その断面がＬ字状に形成された蓋部材６の、その断面における寸法が長い方の長辺板部６ａを載置させて、フロアパネル４の開口部４ａを閉塞するようになっていた（特許文献１参照）。
【０００９】
この蓋部材６は、このように長辺板部６ａをフランジ部４ｃの段差面４ｅ上に載せた際には、フロアパネル４の開口部４ａの全てを閉塞するようになっていた。
【００１０】
これに対し、その長辺板部６ａの代わりに、蓋部材６のＬ字状の断面における寸法が短い方の短辺板部６ｂをフランジ部４ｃの段差面４ｅ上に載せるように、蓋部材６の姿勢を変えることにより、フロアパネル４の開口部４ａの一部のみを閉塞することができるようになっていた。
【００１１】
また、別の従来の蓋構造としては、特許文献２に示すような、フロアパネルの開口部に取り付けられる蓋本体に切欠きが形成され、この切欠きに上記蓋本体より小さい蓋部材が取り付けられるものもあった。
【先行技術文献】
【特許文献】
【００１２】
【特許文献１】特開２００３−４１７５３号公報
【特許文献２】特開平１０−２４８１４６号公報
【発明の概要】
【発明が解決しようとする課題】
【００１３】
しかしながら、この従来のフロアパネル４に用いた蓋部材６は、単なる板部材の断面をＬ字状に折り曲げたに過ぎない構造であったので、その強度が十分でなく、その上方から大きな荷重が加えられた際には、その蓋部材６が変形するおそれがあるという問題があった。
【００１４】
そこで本発明は、上記問題点に鑑みて、蓋部材の強度を向上させて、その上方から大きな荷重が加えられた際にその蓋部材が変形するのを防止することができる、蓋構造及びこれを用いたフロアパネルを提供することを課題とするものである。
【課題を解決するための手段】
【００１５】
上記課題を解決するために、本発明による蓋構造は、
フロアパネルの開口部に取り付けられる蓋構造であって、
その側辺部にコの字状の開口凹部が形成された平板部と、
前記開口凹部の互いに対向する側辺部から互いに接近するように突出し前記側辺部に平行に形成された係合突部と、
前記開口凹部の互いに対向する側辺部の開口端部に形成された嵌合凹部と、
前記平板部の下面に設けられた立設部と
を有する第１蓋部材と、
厚さ上半部が厚さ下半部よりも幅広に形成された板部と、
前記板部の下面の側辺部に設けられ、前記板部の厚さ上半部と共に前記第１蓋部材の係合突部を挟むようにこれと嵌合する補強部と、
前記板部の前記補強部が設けられた側辺部とは反対側の側辺部に設けられ前記第１蓋部材の嵌合凹部と嵌合する嵌合凸部と
を有する第２蓋部材と
を備えたことを特徴とするものである。
【００１６】
また、本発明による蓋構造は、
前記平板部の周縁部に前記立設部の上端面から外側に張り出したフランジ部が形成されたことを特徴とするものである。
【００１７】
また、本発明による蓋構造は、
前記板部の上面の開口凹部への挿し込み先端側に円弧状の凹部が形成されたことを特徴とするものである。
【００１８】
また、上記課題を解決するために、本発明によるフロアパネルは、
開口部を有するフロアパネルであって、
その側辺部にコの字状の開口凹部が形成された平板部と、
前記開口凹部の互いに対向する側辺部から互いに接近するように突出し前記側辺部に平行に形成された係合突部と、
前記開口凹部の互いに対向する側辺部の開口端部に形成された嵌合凹部と、
前記平板部の下面に設けられた立設部と
を有する第１蓋部材と、
厚さ上半部が厚さ下半部よりも幅広に形成された板部と、
前記板部の下面の側辺部に設けられ、前記板部の厚さ上半部と共に前記第１蓋部材の係合突部を挟むようにこれと嵌合する補強部と、
前記板部の前記補強部が設けられた側辺部とは反対側の側辺部に設けられ前記第１蓋部材の嵌合凹部と嵌合する嵌合凸部と
を有する第２蓋部材とを備えた蓋構造を
前記開口部に取付けたことを特徴とするものである。
【００１９】
また、本発明によるフロアパネルは、
前記第１蓋部材の前記開口凹部は、前記平板部の４つの側辺部の内の、前記フロアパネルの中央部側に位置する１つの側辺部に形成されたことを特徴とするものである。
【発明の効果】
【００２０】
このような本発明の蓋構造によれば、
フロアパネルの開口部に取り付けられる蓋構造であって、
その側辺部にコの字状の開口凹部が形成された平板部と、
前記開口凹部の互いに対向する側辺部から互いに接近するように突出し前記側辺部に平行に形成された係合突部と、
前記開口凹部の互いに対向する側辺部の開口端部に形成された嵌合凹部と、
前記平板部の下面に設けられた立設部と
を有する第１蓋部材と、
厚さ上半部が厚さ下半部よりも幅広に形成された板部と、
前記板部の下面の側辺部に設けられ、前記板部の厚さ上半部と共に前記第１蓋部材の係合突部を挟むようにこれと嵌合する補強部と、
前記板部の前記補強部が設けられた側辺部とは反対側の側辺部に設けられ前記第１蓋部材の嵌合凹部と嵌合する嵌合凸部と
を有する第２蓋部材とを備えたことにより、
蓋部材の強度を向上させて、その上方から大きな荷重が加えられた際にその蓋部材が変形するのを防止することができる。
【００２１】
また、このような本発明のフロアパネルによれば、
開口部を有するフロアパネルであって、
その側辺部にコの字状の開口凹部が形成された平板部と、
前記開口凹部の互いに対向する側辺部から互いに接近するように突出し前記側辺部に平行に形成された係合突部と、
前記開口凹部の互いに対向する側辺部の開口端部に形成された嵌合凹部と、
前記平板部の下面に設けられた立設部と
を有する第１蓋部材と、
厚さ上半部が厚さ下半部よりも幅広に形成された板部と、
前記板部の下面の側辺部に設けられ、前記板部の厚さ上半部と共に前記第１蓋部材の係合突部を挟むようにこれと嵌合する補強部と、
前記板部の前記補強部が設けられた側辺部とは反対側の側辺部に設けられ前記第１蓋部材の嵌合凹部と嵌合する嵌合凸部と
を有する第２蓋部材とを備えた蓋構造を
前記開口部に取付けたことにより、
蓋部材の強度を向上させて、その上方から大きな荷重が加えられた際にその蓋部材が変形するのを防止することができる。
【図面の簡単な説明】
【００２２】
【図１】本発明の一実施の形態に係る蓋構造２０及びこれを用いたフロアパネル４を示す図であって、フロアパネル４の開口部４ａに取付けられた蓋構造２０及びその近傍を拡大して示す部分拡大斜視図である。
【図２】図１に示す第１蓋部材２２に第２蓋部材２８が挿し込まれる前の状態を示す分解上面図である。
【図３】図１に示す第１蓋部材２２に第２蓋部材２８が挿し込まれて嵌合した状態を示す上面図である。
【図４】第２蓋部材２８が挿し込まれていない状態の第１蓋部材２２の上面図である。
【図５】図４に示す第１蓋部材２２の正面図である。
【図６】図１に示す第２蓋部材２８の側面図である。
【図７】図６に示す第２蓋部材２８の嵌合凸部３０ｄ側から見た正面図である。
【図８】図１に示す第２蓋部材２８の上面図である。
【図９】図８に示す第２蓋部材２８を上下方向に裏返したその下面図である。
【図１０】図３に示す第１蓋部材２２及び第２蓋部材２８のＡ−Ａ線矢視の断面図である。
【図１１】図３に示す第１蓋部材２２及び第２蓋部材２８のＢ−Ｂ線矢視の断面図である。
【図１２】従来及び本発明の一実施の形態に係るフロアパネル４を示すその全体上面図である。
【図１３】図１２に示すフロアパネル４の開口部４ａ及びその近傍を拡大して示す部分拡大斜視図である。
【図１４】従来の蓋構造２が取付けられたフロアパネル４の開口部４ａ及びその近傍を拡大して示す部分拡大斜視図である。
【発明を実施するための形態】
【００２３】
以下、本発明に係る蓋構造及びこれを用いたフロアパネルを実施するための形態について、図面に基づいて具体的に説明する。
図１から図１１、及び図１２，１３は、本発明の一実施の形態に係る蓋構造及びこれを用いたフロアパネルについて説明するために参照する図である。
【００２４】
これらの図に示す蓋構造２０及びこれを用いたフロアパネル４は、前記従来の蓋構造２及びこれを用いたフロアパネル４と同様の部分には同じ符号を付して説明し、従来と同様の構成についての重複する説明は、その一部を除き省略するものとする。
【００２５】
本発明の一実施の形態におけるフロアパネルは、前記従来のフロアパネル４と全く同じ形状及び構造を有するので、上述したように同じ符号４を付して説明する。本実施の形態に係る蓋構造２０を用いたフロアパネル４は、図１３に示す従来のフロアパネル４と同様に、その側辺部に略矩形状に入り込むよう切り欠かれた開口部４ａが形成されている。
【００２６】
そして、この開口部４ａを構成するコの字状の３つの側辺部には、フロアパネル４の上面４ｄから下方に折り曲げられてその断面がテーパ状のテーパ部４ｂと、そのテーパ部４ｂの下端部から水平外側に突出するようフランジ状に折り曲げられたフランジ部４ｃが形成されている。
【００２７】
このフランジ部４ｃの上面には、フロアパネル４の上面４ｄより高さが一段下がった位置に水平の段差面４ｅが形成されている。
【００２８】
本実施の形態に係る蓋構造２０は、図１に示すように、第１蓋部材２２と第２蓋部材２８により構成されており、第１蓋部材２２の後述する開口凹部２４ｃに、第２蓋部材２８が挿し込まれて嵌合した状態で、これらがフロアパネル４のフランジ部４ｃの段差面４ｅ上に載置されることにより、フロアパネル４の開口部４ａを閉塞するようになっている。
【００２９】
図２に示すように、本実施の形態に係る蓋構造２０は、その第１蓋部材２２の図中下辺の中央部より内側に略矩形状に切り欠かれた開口凹部２４ｃが形成されており、この開口凹部２４ｃに図中下側から第２蓋部材２８が、その上面２８ａが第１蓋部材２２の上面２２ａと同一平面状になるようにして、挿し込まれて嵌合するようになっている。
【００３０】
このように、第２蓋部材２８が第１蓋部材２２の開口凹部２４ｃに嵌合することにより、図３に示すように、開口凹部２４ｃは閉塞されるようになっている。
【００３１】
また、第２蓋部材２８を第１蓋部材２２の開口凹部２４ｃより図３中下側に引き出すことにより、図２に示すように、第１蓋部材２２から第２蓋部材２８を離隔させて、開口凹部２４ｃを開放させることができるようになっている。
【００３２】
蓋構造２０の第１蓋部材２２は、図５に示すように、平板状の平板部２４と、この平板部２４の下方に伸びている、平板部２４より小さい水平面積を有する立設部２６により構成されている。この第１蓋部材２２は、合成樹脂を材料とするものであり、その平板部２４及び立設部２６は成形時に一体的に形成されるようになっている。
【００３３】
第１蓋部材２２の立設部２６は、図４に示すように、図中下側の側面部２６ａの中央部から図中上方に向かって略Ｕ字状に切り欠かれたＵ字溝部２６ｂを有するように、略コの字状に形成されている。
【００３４】
そして、第１蓋部材２２の平板部２４の３つの側辺部には、上記立設部２６の外周部より図４中下側及び左右両側の計３方に張り出すようなフランジ部２４ｂが形成されている。図４及び図５に示すように、このフランジ部２４ｂは、その立設部２６側の外周縁部にテーパ部２４ｆが形成されている。
【００３５】
図４に示すように、この平板部２４は、フランジ部２４ｂの図中下側の中央部が図中上方に向かって略矩形状に切り欠かれた開口凹部２４ｃを有する略コの字状に形成されている。
【００３６】
この開口凹部２４ｃを構成する３つの側辺部２４ｄ，２４ｅ，２４ｄの内、互いに対向する２つの側辺部２４ｄ，２４ｄそれぞれの間にある辺部２４ｅは、図５に示すように、立設部２６のＵ字溝部２６ｂの内底面２６ｃと同一平面状に連続している。
【００３７】
そして、第１蓋部材２２の平板部２４の、互いに対向する２つの側辺部２４ｄ，２４ｄの下部には、その側辺部２４ｄに沿うと共に、互いに接近するように突出する係合突部２４ｇが形成されている。
【００３８】
この係合突部２４ｇは、図５に示すように、平板部２４の厚さの下半分側に配置されており、その厚さ寸法が平板部２４の厚さ寸法の半分位に形成されている。そして、係合突部２４ｇの上面には、平板部２４の上面２２ａより一段下がった段差面２４ｈが形成されている。
【００３９】
また、互いに対向する２つの側辺部２４ｄ，２４ｄは、その開口端部（図４中下端部）に、図５に示すような、略矩形状に凹んでいる嵌合凹部２４ｉが形成されている。この嵌合凹部２４ｉは、その図５中の下面が係合突部２４ｇの段差面２４ｈと同一平面状に連続するように形成されている。
【００４０】
これまで、本実施の形態に係る蓋構造２０の第１蓋部材２２について説明してきたが、次に、蓋構造２０の第２蓋部材２８について説明する。
【００４１】
第２蓋部材２８は、図６に示すように、板状の上板部３０と、その下方に同じく板状の下板部３２が、その板厚を一体的に重ね合わせたような、２層の板状に見えるように形成されている。
【００４２】
そして、その下板部３２の下面３２ａの図中右側部には、図６中紙面垂直方向に長さを有する角棒状に形成され、その上面３４ａが下板部３２の下面３２ａに一体的に固定された補強部３４が形成されている。
【００４３】
第２蓋部材２８は、合成樹脂を材料とするものであり、その上板部３０と下板部３２、及び補強部３４は成形時に一体的に形成されるようになっている。
【００４４】
第２蓋部材２８の上板部３０は、図７に示すように、その図中左右方向（以下、幅方向とする）の長さ寸法が下板部３２の幅方向の長さ寸法より大きく形成されており、その上板部３０の幅方向両側の下面には、下板部３２の下面３２ａよりも一段高くなった段差面３０ｂが形成されている。
【００４５】
そして、第２蓋部材２８の上板部３０は、図８に示すように、その平面形状が略矩形状に形成されており、その幅方向の両側の側面３０ｃの図中下端部には、その幅方向外側に突出する、図６に示すような、直方体状の嵌合凸部３０ｄがそれぞれ形成されている。
【００４６】
この嵌合凸部３０ｄは、図７に示すように、その図中上下方向の高さ寸法が上板部３０の板厚の厚さ寸法よりも小さく、半分位の厚さに形成されており、上板部３０の上面２８ａよりも一段下がった段差面３０ｅが形成されている。
【００４７】
図８に示すように、第２蓋部材２８の上面２８ａの補強部３４側の側部には、円弧状の凹部３６が形成されている。この凹部３６の深さ寸法は、上板部３０の厚さ寸法に近い寸法に形成されている。この凹部３６は、第２蓋部材２８を、第１蓋部材２２の開口凹部２４ｃより引き出すときに、指の先を掛けるためのものである。
【００４８】
第２蓋部材２８の下板部３２は、図９に示すように、その幅方向の長さ寸法だけでなく、図中上下方向の長さ寸法も上板部３０の図中上下方向の長さ寸法より小さく形成されている。そして、図６に示すように、下板部３２の図中左端部には、その下面３２ａより徐々にその厚さ寸法が小さくなって零に近づくような、テーパ部３２ｂが形成されている。
【００４９】
第２蓋部材２８の補強部３４は、図７に示すように、その長さ寸法が下板部３２の幅方向の長さ寸法より大きく、上板部３０の幅方向の長さ寸法に近い長さ寸法に形成されている。
【００５０】
このため、第２蓋部材２８は、上板部３０の段差面３０ｂと、下板部３２の幅方向の両側面３２ｃと、補強部３４の上面３４ａの３つの辺部により構成された、係合溝部２８ｂが形成されるようになっている。
【００５１】
そして、図２に示すように、第２蓋部材２８は、その側面３０ｃに嵌合凸部３０ｄが形成された側（図中下側）とは反対側の、その下側（図紙面裏側）に補強部３４が形成された端部（図中上端部）を先にして、第１蓋部材２２の開口凹部２４ｃに挿し込まれるようになっている。
【００５２】
図１０は、第１蓋部材２２の開口凹部２４ｃに挿し込まれた状態における第２蓋部材２８の、図６におけるＡ−Ａ矢視の断面を示す図である。
【００５３】
図１０に示すように、第２蓋部材２８は、その図中下側に補強部３４が形成された部分の断面において、その上板部３０の段差面３０ｂと、下板部３２の側面３２ｃと、補強部３４の上面３４ａにより構成されたコの字状の係合溝部２８ｂに、第１蓋部材２２の係合突部２４ｇが嵌合して、開口凹部２４ｃへの第２蓋部材２８の挿し込みを案内するようになっている。
【００５４】
このとき、第１蓋部材２２の係合突部２４ｇの先端面と、第２蓋部材２８の側面３２ｃとの間には、第１蓋部材２２の側辺部２４ｄと、第２蓋部材２８の側面３０ｃとの間の隙間より大きな隙間が形成されるようになっている。このため、第１蓋部材２２の開口凹部２４ｃに第２蓋部材２８を容易に挿し込み、摺動することができる。
【００５５】
また、第１蓋部材２２の係合突部２４ｇの段差面２４ｈと、第２蓋部材２８の上板部３０の段差面３０ｂとの間、及び第１蓋部材２２の係合突部２４ｇの下面と、第２蓋部材２８の補強部３４の上面３４ａとの間には、摺動のために最低限必要な隙間より大きな隙間は形成されないようになっている。
【００５６】
このため、上記部材のそれぞれの間には、摺動のために最低限必要な隙間が形成されることにより、開口凹部２４ｃへの第２蓋部材２８の挿し込み時の摺動が円滑に行なわれることができるようになっている。この隙間が大き過ぎるとガタが生じて、かえって摺動が円滑に行なわれなくなるからである。
【００５７】
このような第２蓋部材２８の、その下側に補強部３４が形成された先端側の面が、第１蓋部材２２の開口凹部２４ｃの一番奥の突き当り面に当接すると、そのとき同時に、第２蓋部材２８の側面３０ｃに形成された嵌合凸部３０ｄが、図１１に示すように、第１蓋部材２２の嵌合凹部２４ｉに嵌合することにより、開口凹部２４ｃへの第２蓋部材２８の挿し込み、摺動が終了する。
【００５８】
図１１に示すように、第１蓋部材２２の嵌合凹部２４ｉに第２蓋部材２８の上板部３０の嵌合凸部３０ｄが嵌合することにより、第２蓋部材２８が第１蓋部材２２の開口凹部２４ｃから容易には外れないようになっており、抜け落ちたりしないようになっている。
【００５９】
このような本実施の形態に係る蓋構造２０は、第１蓋部材２２の開口凹部２４ｃに第２蓋部材２８を容易に取り付けることができることと、容易に外れないようにすることができることを両立させることができる。
【００６０】
上記のように、第２蓋部材２８は、その下側に補強部３４が形成された部分の断面において、その上板部３０の段差面３０ｂと、下板部３２の側面３２ｃと、補強部３４の上面３４ａにより構成されたコの字状の係合溝部２８ｂに、第１蓋部材２２の係合突部２４ｇが嵌合して、その挿し込みを案内するようになっているため、第１蓋部材２２の開口凹部２４ｃに第２蓋部材２８を容易に挿し込むことができる。
【００６１】
また、本実施の形態に係る蓋構造２０は、第１蓋部材２２に立設部２６が設けられていて、図３に示すように、この立設部２６の水平断面積が大きく形成されていることにより、その剛性を大きくすることができるので、上方からの荷重に対する第１蓋部材２２の強度を向上させることができる。
【００６２】
そして、本実施の形態に係る蓋構造２０は、第２蓋部材２８に補強部３４が設けられたことにより、第１蓋部材２２に嵌合した際の、上方からの荷重に対する第２蓋部材２８の強度を向上させることができる。
【００６３】
したがって、本実施の形態に係る蓋構造２０は、第１蓋部材２２に第２蓋部材２８が挿し込まれて嵌合した状態で、フロアパネル４のフランジ部４ｃ上に載置した場合において、フロアパネル４上の荷重に対する蓋部材２２，２８の強度を向上させることができる。
【００６４】
このような蓋構造２０をフロアパネル４の開口部４ａに用いることにより、フロアパネル４により構成されるフリーアクセスフロア構造の耐荷重強度を向上させることができる。
【００６５】
以上説明したように、このような本実施の形態に係る蓋構造２０及びこれを用いたフロアパネル４によれば、蓋部材２２，２８の強度を向上させて、フロアパネル４の上方から大きな荷重が加えられた際にその蓋部材２２，２８が変形するのを防止することができる。このため、フロアパネル４により構成されるフリーアクセスフロア構造の耐荷重強度を向上させることができる。
【００６６】
なお、前記実施の形態に係る蓋構造２０及びこれを用いたフロアパネル４においては、補強部３４は、角棒状に形成されるようになっていたが、これに限定されるわけではなく、他のどのような形状であってもよい。
【符号の説明】
【００６７】
２  蓋構造
４  フロアパネル
４ａ  開口部
４ｂ  テーパ部
４ｃ  フランジ部
４ｄ  上面
４ｅ  段差面
６  蓋部材
６ａ  長辺板部
６ｂ  短辺板部
２０  蓋構造
２２  第１蓋部材
２２ａ  上面
２４  平板部
２４ｂ  フランジ部
２４ｃ  開口凹部
２４ｄ，２４ｅ  側辺部
２４ｆ  テーパ部
２４ｇ  係合突部
２４ｈ  段差面
２４ｉ  嵌合凹部
２６  立設部
２６ａ  側面図
２６ｂ  Ｕ字溝部
２６ｃ  内底面
２８  第２蓋部材
２８ａ  上面
２８ｂ  係合溝部
３０  上板部
３０ｂ  段差面
３０ｃ  側面
３０ｄ  嵌合凸部
３０ｅ  段差面
３２  下板部
３２ａ  下面
３２ｂ  テーパ部
３２ｃ  側面
３４  補強部
３４ａ  上面
３６  凹部
【図１】
0005858571.tif 000002
【図２】
0005858571.tif 000003
【図３】
0005858571.tif 000004
【図４】
0005858571.tif 000005
【図５】
0005858571.tif 000006
【図６】
0005858571.tif 000007
【図７】
0005858571.tif 000008
【図８】
0005858571.tif 000009
【図９】
0005858571.tif 000010
【図１０】
0005858571.tif 000011
【図１１】
0005858571.tif 000012
【図１２】
0005858571.tif 000013
【図１３】
0005858571.tif 000014
【図１４】
0005858571.tif 000015